【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
１つまたは複数の通信ネットワークを用いて、短縮した呼設定時間でユーザ間の呼起動を行う方法であって、この方法は、前記１つまたは複数の通信ネットワークに結合した少なくとも一組のＨ．３２４類似端末間に設けられ、
第１の端末と第２の端末とに関連した呼に対する１つまたは複数の設定であって、前記第１の端末と前記第２の端末との間での呼に対する初期の接続モードに関連する１つまたは複数の設定を設けることと、
前記１つまたは複数の設定をカスタムメッセージとして処理することと、
前記カスタムメッセージを呼起動メッセージの所定のフィールドに組込むことと、
前記カスタムメッセージを、呼信号を用いて、前記第１の端末から前記第２の端末へ通信ネットワークを介し転送することと、
前記第２の端末により、前記カスタムメッセージを処理することと、
前記初期の接続モードを前記第１の端末に示すために、呼信号レスポンスメッセージを用いて、前記第２の端末によりカスタムレスポンスメッセージを転送することと、
前記初期の接続モードが確立した後に、前記第１の端末と前記第２の端末との間で情報を交換することとを備える方法。
【請求項２】
前記情報はボイスとビデオとを備える請求項１記載の方法。
【請求項３】
前記１つまたは複数の設定は、ＩＴＵ−Ｔ ＡＳＮ．１カスタムメッセージに関連する請求項１記載の方法。
【請求項４】
前記１つまたは複数の設定は、変調信号を用いてコード化される請求項１記載の方法。
【請求項５】
前記第１の端末はＨ．３２４類似ゲートウェイである請求項１記載の方法。
【請求項６】
前記第２の端末はＨ．３２４類似ゲートウェイである請求項１記載の方法。
【請求項７】
１つまたは複数の通信ネットワークを用いて、短縮した呼設定時間でユーザ間の呼起動を行う方法であって、この方法は、前記１つまたは複数の通信ネットワークに結合した少なくとも一組のＨ．３２４類似端末間に設けられ、
呼起動を行うために、呼信号メッセージを第１の端末から第２の端末へ通信ネットワークを介して送信することと、
一旦、前記呼信号メッセージが前記第２の端末により受信されると、前記第１の端末と前記第２の端末との間にベアラチャネルを確立することと、
接続のための共通のモバイルレベルを決定することと、
１つまたは複数のカスタム非標準Ｈ．２４５メッセージまたは標準メッセージ中のカスタム非標準フィールドであって、初期の所定接続モードに対する１つまたは複数の設定パラメータに関連する前記１つまたは複数のカスタム非標準Ｈ．２４５メッセージまたはカスタム非標準フィールドを設けることと、
前記１つまたは複数のカスタム非標準Ｈ．２４５メッセージまたは標準メッセージ中のカスタム非標準フィールドを、前記第１の端末から前記第２の端末へ送信することと、
前記１つまたは複数のカスタム非標準Ｈ．２４５メッセージまたはカスタム非標準フィールドに関連するカスタム非標準レスポンスメッセージを、前記第２の端末から前記第１の端末へ送信することと、
前記１つまたは複数のカスタム非標準Ｈ．２４５メッセージまたはカスタム非標準フィールドを所定の時間内に処理することと、
前記カスタム非標準Ｈ．２４５メッセージまたはカスタム非標準フィールドの少なくとも１つまたは複数に基づき、前記ベアラチャネルを介した前記第１の端末と前記第２の端末との間に前記初期の所定接続モードを確立することとを備える方法。
【請求項８】
前記１つまたは複数のカスタム非標準Ｈ．２４５メッセージは、Ｈ．２４５端末機能設定リクエストメッセージに組込まれた１つまたは複数の非標準機能としてそれ自身表される請求項７記載の方法。
【請求項９】
１つまたは複数のユーザ設定は、コード化されたものまたは明示的なもののいずれかであって、前記カスタム非標準Ｈ．２４５メッセージの１つに設けられる請求項７記載の方法。
【請求項１０】
１つまたは複数の通信ネットワークを用いて、短縮した呼設定時間でユーザ間の呼起動を行う方法であって、この方法は、前記１つまたは複数の通信ネットワークに結合した少なくとも一組のＨ．３２４類似端末間に設けられ、
呼起動を行うために、呼信号メッセージを第１の端末から第２の端末へ通信ネットワークを介して送信することと、
一旦、前記呼信号メッセージが前記第２の端末により受信されると、前記第１の端末と前記第２の端末との間にベアラチャネルを確立することと、
共通のモバイルレベルを決定することと、
初期の所定接続モードに対する設定パラメータに関連する２つ以上のＨ．２４５メッセージを決定することと、
前記２つ以上のＨ．２４５メッセージを、１つのＳＲＰコマンドフレーム内に、前記ＳＲＰコマンドフレームの所定の大きさに従い連結することと、
前記２つ以上のＨ．２４５メッセージを含む前記ＳＲＰコマンドフレームを前記第１の端末から前記第２の端末へ通信ネットワークを介して送信することと、
一旦、前記ＳＲＰコマンドフレームが前記第２の端末により受信されると、前記第２の端末によりＳＲＰ受信確認メッセージを送信することと、
少なくとも前記２つ以上のＨ．２４５メッセージを、所定の時間内に処理することと、
前記ベアラチャネルを介した前記第１の端末と前記第２の端末との間に前記初期の所定接続モードを確立することとを備える方法。
【請求項１１】
前記モバイルレベル検出を、モバイルレベル０としても知られるＨ．３２４ベースラインと、ＩＴＵ−Ｔ Ｈ．２２３補遺Ａとしても知られるモバイルレベル１と、ＩＴＵ−Ｔ Ｈ．２２３補遺Ｂとしても知られるモバイルレベル２と、ＩＴＵ−Ｔ Ｈ．２２３補遺Ｃとしても知られるモバイルレベル３とからなる群から選択された少なくとも１つに従い実行する請求項１０記載の方法。
【請求項１２】
前記ＳＲＰ受信確認メッセージが前記第１の端末により受信された後のみ、２つ以上のＨ．２４５メッセージを含むもう１つ別のＳＲＰコマンドフレームを送信することをさらに備える請求項１０記載の方法。
【請求項１３】
前記短縮した呼設定時間は、個々のＨ．２４５メッセージの標準的な順次交換に対して少なくとも５０％である請求項１０記載の方法。
【請求項１４】
前記Ｈ．２４５メッセージは、端末機能設定リクエストと、マスタ・スレーブ判定リクエストと、オープン論理チャネルリクエストと、多重化テーブルエントリ定義リクエストとから選択された１つまたは複数を含む請求項１０記載の方法。
【請求項１５】
前記第１の端末はハンドセットであり、前記第２の端末はハンドセット以外のＨ．３２４類似端末を備える装置である請求項１０記載の方法。
【請求項１６】
前記第１の端末はハンドセットであり、前記第２の端末もハンドセットである請求項１０記載の方法。
【請求項１７】
一旦、所定の判定基準が確立すると、前記第１の端末はマスタとして接続し、前記第２の端末はスレーブとして接続する請求項１０記載の方法。
【請求項１８】
前記所定の判定基準は、最初のＳＲＰコマンドフレームに関連する請求項１０記載の方法。
【請求項１９】
前記初期の所定モードが確立した後に、前記第１の端末と前記第２の端末との間でボイスとビデオの情報を交換することをさらに備える請求項１０記載の方法。
【請求項２０】
連結した２つ以上のメッセージが共通の構文を用いてエンコードされる請求項１０記載の方法。
【請求項２１】
前記共通の構文はＩＴＵ−Ｔ ＡＳＮ．１ ＰＥＲ（パック化符号化規則）である請求項２０記載の方法。
【請求項２２】
前記連結した２つ以上のメッセージが前記第２の端末により処理されない場合は、代わりの通常モードで接続することをさらに備える請求項１０記載の方法。
【請求項２３】
１つまたは複数の通信ネットワークを用いて、短縮した呼設定時間でユーザ間の呼起動を行うための指示を含むコンピュータ可読媒体であって、このコンピュータ可読媒体は、前記１つまたは複数の通信ネットワークに結合した少なくとも一組のＨ．３２４類似端末間に設けられ、
第１の端末と第２の端末とに関連した呼に対する１つまたは複数の設定であって、前記第１の端末と前記第２の端末との間での呼に対する初期の接続モードに関連する１つまたは複数の設定を設けるための１つまたは複数の指示と、
前記１つまたは複数の設定をカスタムメッセージとして処理するための１つまたは複数の指示と、
前記カスタムメッセージを呼起動メッセージの所定のフィールドに組込むための１つまたは複数の指示と、
前記カスタムメッセージを、呼信号を用いて、前記第１の端末から前記第２の端末へ通信ネットワークを介し転送するための１つまたは複数の指示と、
前記第２の端末により、前記カスタムメッセージを処理するための１つまたは複数の指示と、
前記初期の接続モードを前記第１の端末に示すために、呼信号レスポンスメッセージを用いて、前記第２の端末によりカスタムレスポンスメッセージを転送するための１つまたは複数の指示と、
前記初期の接続モードが確立した後に、前記第１の端末と前記第２の端末との間で情報を交換するための１つまたは複数の指示とを備えるコンピュータ可読媒体。
【請求項２４】
前記情報はボイスとビデオとを備える請求項２３記載のコンピュータ可読媒体。
【請求項２５】
前記１つまたは複数の設定は、ＩＴＵ−Ｔ ＡＳＮ．１カスタムメッセージに関連する請求項２３記載のコンピュータ可読媒体。
【請求項２６】
前記１つまたは複数の設定は、変調信号を用いてコード化される請求項２３記載のコンピュータ可読媒体。
【請求項２７】
前記第１の端末はＨ．３２４類似ゲートウェイである請求項２３記載のコンピュータ可読媒体。
【請求項２８】
前記第２の端末はＨ．３２４類似ゲートウェイである請求項２３記載のコンピュータ可読媒体。
【請求項２９】
１つまたは複数の通信ネットワークを用いて、短縮した呼設定時間でユーザ間の呼起動を行うための指示を含むコンピュータ可読媒体であって、このコンピュータ可読媒体は、前記１つまたは複数の通信ネットワークに結合した少なくとも一組のＨ．３２４類似端末間に設けられ、
呼起動を行うために、呼信号メッセージを第１の端末から第２の端末へ通信ネットワークを介して送信するための１つまたは複数の指示と、
一旦、前記呼信号メッセージが前記第２の端末により受信されると、前記第１の端末と前記第２の端末との間にベアラチャネルを確立するための１つまたは複数の指示と、
接続のための共通のモバイルレベルを決定するための１つまたは複数の指示と、
１つまたは複数のカスタム非標準Ｈ．２４５メッセージまたは標準メッセージ中のカスタム非標準フィールドであって、初期の所定接続モードに対する１つまたは複数の設定パラメータに関連する前記１つまたは複数のカスタム非標準Ｈ．２４５メッセージまたはカスタム非標準フィールドを設けるための１つまたは複数の指示と、
前記１つまたは複数のカスタム非標準Ｈ．２４５メッセージまたは標準メッセージ中のカスタム非標準フィールドを、前記第１の端末から前記第２の端末へ送信するための１つまたは複数の指示と、
前記１つまたは複数のカスタム非標準Ｈ．２４５メッセージまたはカスタム非標準フィールドに関連するカスタム非標準レスポンスメッセージを、前記第２の端末から前記第１の端末へ送信するための１つまたは複数の指示と、
前記１つまたは複数のカスタム非標準Ｈ．２４５メッセージまたはカスタム非標準フィールドを所定の時間内に処理するための１つまたは複数の指示と、
前記カスタム非標準Ｈ．２４５メッセージまたはカスタム非標準フィールドの少なくとも１つまたは複数に基づき、前記ベアラチャネルを介した前記第１の端末と前記第２の端末との間に前記初期の所定接続モードを確立するための１つまたは複数の指示とを備えるコンピュータ可読媒体。
【請求項３０】
前記１つまたは複数のカスタム非標準Ｈ．２４５メッセージは、Ｈ．２４５端末機能設定リクエストメッセージに組込まれた１つまたは複数の非標準機能としてそれ自身表される請求項２９記載のコンピュータ可読媒体。
【請求項３１】
１つまたは複数のユーザ設定は、コード化されたものまたは明示的なもののいずれかであって、前記カスタム非標準Ｈ．２４５メッセージの１つに設けられる請求項２９記載のコンピュータ可読媒体。
【請求項３２】
１つまたは複数の通信ネットワークを用いて、短縮した呼設定時間でユーザ間の呼起動を行うための指示を含むコンピュータ可読媒体であって、このコンピュータ可読媒体は、前記１つまたは複数の通信ネットワークに結合した少なくとも一組のＨ．３２４類似端末間に設けられ、
呼起動を行うために、呼信号メッセージを第１の端末から第２の端末へ通信ネットワークを介して送信するための１つまたは複数の指示と、
一旦、前記呼信号メッセージが前記第２の端末により受信されると、前記第１の端末と前記第２の端末との間にベアラチャネルを確立するための１つまたは複数の指示と、
共通のモバイルレベルを決定するための１つまたは複数の指示と、
初期の所定接続モードに対する設定パラメータに関連する２つ以上のＨ．２４５メッセージを決定するための１つまたは複数の指示と、
前記２つ以上のＨ．２４５メッセージを、１つのＳＲＰコマンドフレーム内に、前記ＳＲＰコマンドフレームの所定の大きさに従い連結するための１つまたは複数の指示と、
前記２つ以上のＨ．２４５メッセージを含む前記ＳＲＰコマンドフレームを前記第１の端末から前記第２の端末へ通信ネットワークを介して送信するための１つまたは複数の指示と、
一旦、前記ＳＲＰコマンドフレームが前記第２の端末により受信されると、前記第２の端末によりＳＲＰ受信確認メッセージを送信するための１つまたは複数の指示と、
少なくとも前記２つ以上のＨ．２４５メッセージを、所定の時間内に処理するための１つまたは複数の指示と、
前記ベアラチャネルを介した前記第１の端末と前記第２の端末との間に前記初期の所定接続モードを確立するための１つまたは複数の指示とを備えるコンピュータ可読媒体。
【請求項３３】
前記モバイルレベル検出を、モバイルレベル０としても知られるＨ．３２４ベースラインと、ＩＴＵ−Ｔ Ｈ．２２３補遺Ａとしても知られるモバイルレベル１と、ＩＴＵ−Ｔ Ｈ．２２３補遺Ｂとしても知られるモバイルレベル２と、ＩＴＵ−Ｔ Ｈ．２２３補遺Ｃとしても知られるモバイルレベル３とからなる群から選択された少なくとも１つに従い実行する請求項３２記載のコンピュータ可読媒体。
【請求項３４】
前記ＳＲＰ受信確認メッセージが前記第１の端末により受信された後のみ、２つ以上のＨ．２４５メッセージを含むもう１つ別のＳＲＰコマンドフレームを送信することをさらに備える請求項３２記載のコンピュータ可読媒体。
【請求項３５】
前記短縮した呼設定時間は、個々のＨ．２４５メッセージの標準的な順次交換に対して少なくとも５０％である請求項３２記載のコンピュータ可読媒体。
【請求項３６】
前記Ｈ．２４５メッセージは、端末機能設定リクエストと、マスタ・スレーブ判定リクエストと、オープン論理チャネルリクエストと、多重化テーブルエントリ定義リクエストとから選択された１つまたは複数を含む請求項３２記載のコンピュータ可読媒体。
【請求項３７】
前記第１の端末はハンドセットであり、前記第２の端末はハンドセット以外のＨ．３２４類似端末を備える装置である請求項３２記載のコンピュータ可読媒体。
【請求項３８】
前記第１の端末はハンドセットであり、前記第２の端末もハンドセットである請求項３２記載のコンピュータ可読媒体。
【請求項３９】
一旦、所定の判定基準が確立すると、前記第１の端末はマスタとして接続し、前記第２の端末はスレーブとして接続する請求項３２記載のコンピュータ可読媒体。
【請求項４０】
前記所定の判定基準は、最初のＳＲＰコマンドフレームに関連する請求項３２記載のコンピュータ可読媒体。
【請求項４１】
前記初期の所定モードが確立した後に、前記第１の端末と前記第２の端末との間でボイスとビデオの情報を交換することをさらに備える請求項３２記載のコンピュータ可読媒体。
【請求項４２】
連結した２つ以上のメッセージが共通の構文を用いてエンコードされる請求項３２記載のコンピュータ可読媒体。
【請求項４３】
前記共通の構文はＩＴＵ−Ｔ ＡＳＮ．１ ＰＥＲ（パック化符号化規則）である請求項４２記載のコンピュータ可読媒体。
【請求項４４】
前記連結した２つ以上のメッセージが前記第２の端末により処理されない場合は、代わりの通常モードで接続することをさらに備える請求項３２記載のコンピュータ可読媒体。
【請求項４５】
１つまたは複数の３Ｇ通信ネットワークを用いて、短縮した呼設定時間でユーザ間の呼起動を行う方法であって、この方法は、前記１つまたは複数の３Ｇ通信ネットワークに結合した少なくとも一組のＨ．３２４類似装置間に設けられ、
呼起動を行うために、呼信号メッセージを第１の装置から第２の装置へ通信ネットワークを介して送信することと、
一旦、前記呼信号メッセージが前記第２の装置により受信されると、前記第１の装置と前記第２の装置との間にベアラチャネルを確立することと、
接続のためのモバイルレベルを決定することと、
１つまたは複数のカスタムＨ．２４５メッセージまたは１つまたは複数の標準Ｈ．２４５メッセージ中のカスタムフィールドであって、接続モードに対する１つまたは複数のパラメータに関連する前記１つまたは複数のカスタムＨ．２４５メッセージまたはカスタムフィールドを設けることと、
前記１つまたは複数のカスタムＨ．２４５メッセージまたは前記１つまたは複数の標準Ｈ．２４５メッセージ中のカスタムフィールドを送信することと、
前記１つまたは複数のカスタムＨ．２４５メッセージまたはカスタムフィールドを処理することと、
前記１つまたは複数のカスタムＨ．２４５メッセージまたはカスタムフィールドの少なくとも１つまたは複数に基づき、前記ベアラチャネルを介した前記第１の装置と前記第２の装置との間に前記接続モードを確立することとを備える方法。
【請求項４６】
前記１つまたは複数のカスタムＨ．２４５メッセージは、Ｈ．２４５端末機能設定リクエストメッセージに組み込まれた１つまたは複数の機能としてそれ自身表される、請求項４５記載の方法。
【請求項４７】
１つまたは複数のユーザ設定は、所定の、予め定義された、または明示的なもののいずれかであって、前記１つまたは複数のカスタムＨ．２４５メッセージの１つに設けられる、請求項４５記載の方法。
【請求項４８】
前記１つまたは複数のカスタムＨ．２４５メッセージまたはカスタムフィールドが１つまたは複数のＳＲＰフレーム中に送信される、請求項４５記載の方法。
【請求項４９】
前記１つまたは複数のＳＲＰフレームは、前記第２の装置からの１つまたは複数の対応するＳＲＰ受信確認レスポンスを受信する前の往復周期内に、前記第１の装置から送信される、請求項４８記載の方法。
【請求項５０】
スライディングウィンドウスキームを使用して、前記第２の装置からの対応するＳＲＰ受信確認レスポンスを受信する前に、追加のＳＲＰフレームを前記第１の装置から前記第２の装置に送信することをさらに備える、請求項４８記載の方法。
【請求項５１】
前記１つのまたは複数のＳＲＰフレームは、個々の標準またはカスタムＨ．２４５手順と関連し、前記第２の装置からの対応する１つまたは複数のＳＲＰ受信確認レスポンスを受信する前に、前記第１の装置から送信される、請求項４８記載の方法。
【請求項５２】
前記第１の装置において１つまたは複数のＳＲＰ受信確認レスポンスを受信することと、
前記１つまたは複数のＳＲＰ受信確認レスポンスを識別することと、
前記識別した１つまたは複数のＳＲＰ受信確認レスポンスを前記１つまたは複数のＳＲＰフレームからの対応するＳＲＰフレームと関連付けることとをさらに備える、請求項４８記載の方法。
【請求項５３】
前記１つまたは複数のＳＲＰ受信確認レスポンスは、番号が付与された１つまたは複数のＳＲＰ受信確認レスポンスである、請求項５２記載の方法。
【請求項５４】
前記第２の装置において前記１つまたは複数のＳＲＰフレームの第１のＳＲＰフレームを受信することと、
前記第１のＳＲＰフレームの受信に基づいて前記第１の装置と関連する機能を判定することとをさらに備える、請求項４８記載の方法。
【請求項５５】
前記機能はＴＣＳ機能表示を有する、請求項５４記載の方法。
【請求項５６】
機能を判定することは、代替のヘッダが、前記第１のＳＲＰフレームに使用されているかを判定することを有する、請求項５４記載の方法。
【請求項５７】
前記１つまたは複数のＳＲＰフレームの送信を反復し、これによりチャネルエラーに対する信頼性を改良することをさらに備える、請求項４８記載の方法。
【請求項５８】
対応するＳＲＰ受信確認レスポンスを所定の期間受信しない後、前記１つまたは複数のＳＲＰフレームの送信を反復することをさらに備える、請求項４８記載の方法。
【請求項５９】
前記接続モードを確立した後、１つまたは複数の論理チャネルを確立するために１つまたは複数のメッセージを送信することをさらに備える、請求項４５記載の方法。
【請求項６０】
前記１つまたは複数のカスタムＨ．２４５メッセージまたはカスタムフィールドの後にメディアを送信することをさらに備える、請求項４５記載の方法。
【請求項６１】
セッション設定処理を実行することをさらに備える、請求項４５記載の方法。
【請求項６２】
端末機能、設定モード、論理チャネルオープンリクエスト、または多重化テーブル構成を通信するために、前記１つまたは複数のカスタムＨ．２４５メッセージ及び前記１つまたは複数の標準Ｈ．２４５メッセージを単一のＳＲＰフレーム内に連結することによりメッセージ群を形成することをさらに備える、請求項４５記載の方法。
【請求項６３】
前記メッセージ群は、端末機能セット及びマスタ・スレーブ判定を有する、請求項６２記載の方法。
【請求項６４】
前記メッセージ群は、さらに、前記端末機能セットに含まれるカスタムメッセージを有する、請求項６３記載の方法。
【請求項６５】
前記メッセージ群は、さらに、オープン論理チャネルリクエストを有する、請求項６４記載の方法。
【請求項６６】
前記メッセージ群は、さらに、オープン論理チャネルリクエストを有する、請求項６３記載の方法。
【請求項６７】
前記メッセージ群は、さらに、多重化テーブルエントリリクエストを有する、請求項６６記載の方法。
【請求項６８】
前記メッセージ群は、マスタ・スレーブ判定及びオープン論理チャネルリクエストを有する、請求項６２記載の方法。
【請求項６９】
前記メッセージ群は、端末機能セット及び１つまたは複数のカスタムメッセージを有する、請求項６２記載の方法。
【請求項７０】
前記メッセージグループは、さらに、オープン論理チャネルリクエストを有する、請求項６９記載の方法。
【請求項７１】
前記メッセージ群は、さらに、多重化テーブルエントリリクエストを有する、請求項７０記載の方法。
【請求項７２】
前記メッセージ群は、さらに、多重化テーブルエントリリクエストを有する、請求項６９記載の方法。
【請求項７３】
前記１つまたは複数のカスタム非標準Ｈ．２４５メッセージまたはカスタム非標準フィールドと関連するカスタム非標準レスポンスメッセージを送信することをさらに備える、請求項４５記載の方法。